(57)【特許請求の範囲】
【請求項１】
建材を固定するための樹脂マットであって、
前記建材の載置領域を区切るよう形成された区画溝と、
該区画溝により区切られた前記載置領域において、前記建材を前記樹脂マットに接着固定する接着剤を注入するため、前記建材の裏面側のマット上面とこれと反対側のマット下面とにかけて形成された貫通孔と、
前記載置領域における前記貫通孔の周囲であって前記区画溝と前記貫通孔との間に形成され、前記貫通孔の変形を来すような応力が前記樹脂マットに掛かかると、前記貫通孔の変形を抑制するよう前記応力を緩和する緩和手段とを備える
ことを特徴とする樹脂マット。
【請求項２】
請求項１記載の樹脂マットであって、
該緩和手段は、
前記マット下面の側で前記貫通孔から孔周囲の前記マット下面にはみ出た形状で硬化している前記接着剤を少なくとも一部領域に亘って取り囲むように形成されている、樹脂マット。
【請求項３】
請求項２記載の樹脂マットであって、
前記緩和手段は、弧状凹所を有する、樹脂マット。
【請求項４】
樹脂マットに建材を重ねて接着剤で固定した建材マットであって、
前記樹脂マットとして請求項１ないし請求項３いずれか記載の前記樹脂マットを備え、該樹脂マットのマット上面に前記建材を載置して備え、
前記接着剤を、
前記樹脂マットの前記貫通孔の内部に介在した状態で、前記マット上面の側で建材裏面に接着して硬化させると共に、前記マット下面の側で前記貫通孔周囲の前記マット下面にはみ出た形状で硬化させて備え、
該硬化した前記接着剤は、前記マット下面でのはみ出し硬化部分を前記樹脂マットが有する前記緩和手段と干渉しないようにされている、建材マット。
【請求項５】
樹脂マットに建材を重ねて接着剤で固定した建材マットであって、
前記樹脂マットは、
前記建材の載置領域を区切るよう形成された区画溝と、
該区画溝により区切られた前記載置領域において、前記建材を前記樹脂マットに接着固定する接着剤を注入するため、前記建材の裏面側のマット上面とこれと反対側のマット下面とにかけて形成された貫通孔とを備えると共に、前記マット上面に前記建材を載置して備え、
前記接着剤は、
前記樹脂マットの前記貫通孔の内部に介在した状態で、前記マット上面の側で建材裏面に接着して硬化すると共に、前記マット下面の側で前記貫通孔周囲の前記マット下面にはみ出た形状で硬化し、
更に、
前記樹脂マットには、
前記建材を前記接着剤で固定した前記樹脂マットのマット両端またはマット一端側を持ち上げて前記樹脂マットに前記貫通孔の変形を来すような応力が掛かかると、前記貫通孔の変形を抑制するよう前記応力を緩和する緩和手段を、前記載置領域における前記貫通孔を少なくとも一部領域に亘って取り囲むように形成し、
該緩和手段は、
前記硬化した前記接着剤における前記マット下面でのはみ出し硬化部分と干渉しないようにされている、建材マット。
【発明の詳細な説明】
【０００１】
【発明の属する技術分野】
本発明は、タイル等の建材を固定するための樹脂マットとこれを用いた建材マットに関する。
【０００２】
【従来の技術】
近年になり、この種の建材マット、例えばタイルを樹脂マットに重ねて接着剤で固定したタイルマットは、マットをその施工場所に敷き詰めればよいことから施工が簡便であるとして、バルコニーやベランダ等に多用されつつある。こうしたタイルマットでは、樹脂マットとタイルとの接着固定を図るため、種々の技術が提案されている（例えば、特許文献１）。
【０００３】
【特許文献１】
特許第２７８３１２７号公報
【０００４】
この公報では、接着剤で樹脂マットとタイルを接着固定するに当たり、樹脂マットの貫通孔の内部に硬化した接着剤を係止する係止部を形成し、こうすることでタイルの剥がれを防止している。
【０００５】
【発明が解決しようとする課題】
上記公報で提案されたタイルマットでは、硬化した接着剤に割れ等が起きて接着剤が欠落すると、タイルの剥がれを招きかねない。しかしながら、こうした点についての配慮がなされていないのが現状である。
【０００６】
本発明は、上記問題点を解決するためになされ、接着剤による接着固定の対象である建材の剥がれ防止の実効性を高めることを目的とする。
【０００７】
【課題を解決するための手段およびその作用・効果】
かかる課題を解決するため、本発明の樹脂マットは、
建材を固定するための樹脂マットであって、
前記建材の載置領域を区切るよう形成された区画溝と、
該区画溝により区切られた前記載置領域において、前記建材を前記樹脂マットに接着固定する接着剤を注入するため、前記建材の裏面側のマット上面とこれと反対側のマット下面とにかけて形成された貫通孔と、
前記載置領域における前記貫通孔の周囲であって前記区画溝と前記貫通孔との間に形成され、前記貫通孔の変形を来すような応力が前記樹脂マットに掛かかると、前記貫通孔の変形を抑制するよう前記応力を緩和する緩和手段とを備える
ことをその要旨とする。
【０００８】
上記構成を有する本発明の樹脂マットでは、建材固定のために貫通孔で硬化した接着剤に、貫通孔の変形に基づく力が掛かってしまうことを抑制できる。よって、本発明の樹脂マットによれば、貫通孔で硬化した接着剤に割れ等が起きがたくして、接着剤の欠落を効果的に防止できる。この結果、接着剤による接着固定の対象である建材の剥がれ防止の実効性を高めることができる。
【０００９】
上記の構成を有する本発明の樹脂マットは、以下の態様を採ることもできる。即ち、前記マット下面の側で前記貫通孔から孔周囲の前記マット下面にはみ出た形状で硬化している前記接着剤を少なくとも一部領域に亘って取り囲むように緩和手段を形成することができる。こうすれば、次の利点がある。
【００１０】
接着剤は、樹脂マットを貫通する貫通孔の内部に介在した状態で、樹脂マットのマット上面の側で建材裏面に接着して硬化する。これにより、建材と接着剤は、マット上面側で一体化する。その上で、接着剤は、貫通孔周囲のマット下面にはみ出た形状で硬化した接着剤部分（はみ出し接着剤部分）で、樹脂マットに対する建材の剥がれ防止機能を果たすことになり、樹脂マットの側には、建材の剥がれ防止機能を一切設ける必要がなくなる。この結果、樹脂マットには単に貫通孔を形成すればよくなるので、樹脂マットの形状を単純化でき、その金型についても単純化することができる。また、こうした成型金型の単純化により、金型や樹脂マットは勿論、この樹脂マットを用いた建材マットの低コスト化も達成できる。しかも、緩和手段はこのはみ出し接着剤部分を取り囲むことから、当該はみ出し接着剤部分についても割れ等を起きないようにする。よって、はみ出し接着剤部分による建材の剥がれ防止機能が低下しないようにできるので、建材剥がれ防止の実効性をより高めることができる。
【００１１】
また、緩和手段を弧状凹所を有するものとすれば、マット下面にこの弧状凹所を形成すれば足りるので、簡便である。この場合、弧状凹所は、開口部を広げたり縮めたりすることで、上記した応力を緩和して接着剤の割れ等を抑制する。
【００１２】
そして、上記した樹脂マットに建材を重ねて接着剤で固定した本発明の建材マットによれば、建材の剥がれ防止に優れた建材マットを容易に提供できる。
【００１３】
【発明の実施の形態】
次に、本発明の実施の形態を実施例に基づき説明する。図１は実施例に係るタイルマット１０を表す概略斜視図、図２はタイルマット１０が有する樹脂マット２０の底面の一部を示す説明図、図３は図２における３−３線断面をタイルＴを上にして示す説明図、図４は樹脂マット２０の要部を概略的に示すための斜視図である。
【００１４】
図示するように、タイルマット１０は、正方形状の樹脂マット２０の上面（マット上面２３）に正方形状のタイルＴを３Ｘ３列に亘って重ねて有する。タイルマット１０は、図における左右方向および前後方向に連結可能とされ、その連結のための連結腕２１とこれに入り込む連結フック２２を、樹脂マット２０の端片に有する。
【００１５】
樹脂マット２０は、図１に一部破断して示すように、タイルＴの載置面となるマット面２３を形成する正方形状のシート体２４を周縁壁部２５で支える。また、樹脂マット２０は、それぞれのタイルＴの載置領域ごとに、貫通孔３０と、脚３１とを有する。貫通孔３０は、各載置領域の各コーナーに形成されている。
【００１６】
脚３１は、タイルＴの中央部分に該当するものについては、各載置領域ごとに２個形成され、貫通孔周囲の脚３１については、周縁壁部２５の側に位置する貫通孔ごとに１個形成され、それ以外の貫通孔については、貫通孔ごとに２個形成されている。タイルＴの中央部分に該当する２個の脚３１は、各コーナーの貫通孔３０の側から延びた梁部３３で連結された脚台座３４に形成されている。この梁部３３と脚台座３４は、樹脂マット２０のシート体２４に穴３５を抜くことで形成される。これらそれぞれの脚３１は、図示するようにリブで補強された上、周縁壁部２５より長くシート体２４の裏面（マット下面２６）から突出し、タイルマット１０がその施設箇所におかれた場合の支えとなる。
【００１７】
また、樹脂マット２０は、タイルＴの載置領域を区切るＶ字状の区画溝３６を縦・横に２本ずつ交差して備え、溝に沿って並ぶ脚３１の間に、窓３７を有する。ここで、この区画溝３６が奏する機能について説明する。図１に示すタイルマット１０は、その施工に際して作業者の両手でマット両端側が持ち上げられる。すると、タイルＴの自重により、タイルマット１０にはマット中央が垂れ下がるような反りが生じるようとする。この場合、区画溝３６はこの反りに倣うよう広がるので、タイルマット１０は容易に反りを起こし、作業者による持ち上げに支障を来すことがない。しかも、容易に反りを起こすことから、タイルマット１０を順次並べる場合における施工性、つまり、連結腕２１への連結フック２２の係合も容易である。
【００１８】
このほか、樹脂マット２０は、それぞれの貫通孔３０の周囲に、弧状の湾曲凹所３８を有する。この湾曲凹所３８は、貫通孔３０の変形を来すような応力が樹脂マット２０に掛かかると、貫通孔３０の変形を抑制するよう応力を緩和するためのものである。そして、周縁壁部２５の側に位置する貫通孔３０と、それ以外の位置の貫通孔３０とでは、湾曲凹所３８の弧状軌跡の長さが相違する。これは、次のことによる。
【００１９】
上記した応力が作用する状況として、タイルマット１０を既述したようにその両端で持ち上げて反りを起こす場合や、マットの一端側だけを持ち上げて反りを起こすような場合がある。こうしたマットの持ち上げによる反りは、図１における左右両端或いは左右の一端での持ち上げによる反りや、図１における前後両端或いは前後一端での持ち上げによる反りがある。こうした左右・前後の反りによりシート体２４には応力が作用するが、周縁壁部２５の側は持ち上げ対象部分であるため、この周縁壁部２５の側では、左右或いは前後の一方の反りによる応力しか実質的には作用しないと考えられる。よって、周縁壁部２５の側に位置する貫通孔３０では、区画溝３６を挟んで約１／４周分の弧状軌跡で湾曲凹所３８を形成して、この凹所を対向させた。その一方、それ以外の位置の貫通孔３０では、区画溝３６がクロスしていることから、約半周分の弧状軌跡で湾曲凹所３８を形成し、それぞれの区画溝３６を挟んで湾曲凹所３８が対向するようにした。つまり、本実施例では、湾曲凹所３８を、貫通孔３０をその一部領域に亘って取り囲むよう形成した。なお、湾曲凹所３８を、貫通孔３０を全周に亘って取り囲むようにすることもできる。
【００２０】
本実施例では、上記した樹脂マット２０を、耐久性や耐候性に優れた樹脂であって、こうしたタイルマットの樹脂マットとして一般的な樹脂材料、例えば、ＰＥ（ポリエチレン）やＥＶＡ（エチレン-酢酸ビニル共重合樹脂）から型成型した。
【００２１】
次に、上記した樹脂マット２０とタイルＴとの接着の様子について説明する。図３に示すように、樹脂マット２０のマット面２３に載置されたタイルＴは、タイル裏面Ｔｒをマット面２３に重ねる。この状態で、貫通孔３０にはその内部に接着剤Ｓが介在し、この接着剤Ｓは、マット面２３の側でタイルＴのタイル裏面Ｔｒに接着して硬化している。しかも、接着剤Ｓは、マット下面２６の側では、貫通孔３０周囲のマット下面２６にはみ出た形状で硬化している。つまり、接着剤Ｓは、この貫通孔３０からはみ出した接着剤部分（以下、アンカー形状部分Ｓａという）を、貫通孔３０に内在してタイル裏面Ｔｒと接着した部分と一体とした状態で硬化している。この場合、アンカー形状部分Ｓａは、貫通孔３０周囲のマット下面２６に貫通孔全周に亘ってはみ出た形状で硬化している。従って、このアンカー形状部分Ｓａは、これ自体で、樹脂マット２０に対するタイルＴの剥がれ防止機能を果たすことになり、いわゆるアンカー効果を奏することができる。
【００２２】
上記した接着剤Ｓは、貫通孔３０の周囲でアンカー効果を奏する一方、貫通孔３０ではタイルＴとの直接の接着に関与する。よって、貫通孔３０にあっても、タイル接着の面積を確保する上から、その直径が約５〜１５ｍｍ程度であることが望ましい。つまり、直径が５ｍｍ以上で有れば、タイル接着面積を確保でき、１５ｍｍ以下で有れば、不用意に接着剤Ｓの使用量を増大させないので、好ましい。
【００２３】
貫通孔３０の形成箇所についても、タイル裏面の４隅の位置であることが、タイル接着の接着箇所のバランス確保や接着構造上、好ましい。また、例えば１００ｍｍ方形のタイル１枚あたりの接着剤Ｓによる接着面積は、合計で約１ｃｍ2以上有ればよいので、上記した直径範囲の４つの貫通孔３０で、約３〜１０ｃｍ2程度の接着面積を確保できれば好ましい。３００ｍｍ方形のタイルにあっては、貫通孔３０の合計で約２７〜９０ｃｍ2程度を確保できれば好ましい。
【００２４】
上記したように貫通孔３０にて接着剤ＳによりタイルＴを接着するに当たり、貫通孔３０の周囲においてタイル裏面Ｔｒとマット面２３がほぼ隙なく重なることが好ましい。ところで、タイル製造上、タイル裏面Ｔｒにいわゆる裏足が凸状に残ることがあるので、こうした場合には、次のようにすればよい。第１に、この裏足が貫通孔３０と重ならないようにすることが上記した隙のない重なりを確保する上で簡便である。また、裏足と貫通孔３０が重なる場合は、裏足を貫通孔３０より大きくしてこの裏足の範囲で貫通孔３０が形成されるようにすれば、上記の隙のない重なりを確保できる。しかし、樹脂マット２０の貫通孔３０位置とタイルＴの裏足位置とが一部で干渉してずれているような場合には、貫通孔３０の周囲に裏足高さの段差が生じる。この場合は、後述の接着剤Ｓの性状を変えることで対処できる。例えば、接着剤Ｓの粘性を高めて上記の段差に接着剤Ｓが僅かに入り込むようにすることもできる。こうすれば、タイル裏面Ｔｒとマット面２３の隙（段差部）が接着剤Ｓで埋められた状態で、タイルＴを接着できる。
【００２５】
こうして接着剤Ｓが硬化した状態で、湾曲凹所３８は、図３や図４に示すように、このアンカー形状部分Ｓａと干渉することなく、このアンカー形状部分Ｓａを図２に示す形状で取り囲む。
【００２６】
次に、上記した本実施例のタイルマット１０の製造方法について説明する。図５はタイルマット１０の製造工程を説明するための説明図である。
図示するように、まず、樹脂マット２０とタイルＴとを、タイルＴが下方側で樹脂マット２０が上方側となるように重ね、これを製造台車４０に載せる。タイルＴは、３Ｘ３列の状態で樹脂マット２０に載置され、そのタイル裏面Ｔｒをマット面２３に重ねる（図３参照）。この製造台車４０では、タイルＴと樹脂マット２０は、ほぼ水平となり、樹脂マット２０が上側となる。
【００２７】
次いで、製造台車４０を図示しないコンベアにより接着剤注入ステーションに搬入する。このステーションでは、接着剤注入ガン４２による接着剤注入を行う。この接着剤注入ガン４２は、樹脂マット２０に対して接近・退避が可能であると共に、Ｘ−Ｙの平面移動（２軸移動）が可能に構成されている。そして、接着剤注入ガン４２は、樹脂マット２０におけるそれぞれの貫通孔３０の上方に移動した後、貫通孔３０の側への接近、接着剤Ｓの注入、貫通孔３０からの退避を順次行い、それぞれの貫通孔３０に接着剤を注入する。
【００２８】
こうした接着剤Ｓの注入に際しては、次のようにした。
まず、接着剤注入ガン４２からの接着剤Ｓの注入に当たっては、貫通孔３０の孔内容積より多い量の接着剤Ｓを樹脂マット２０の側から貫通孔内に注入した。つまり、貫通孔３０を充填するに足りる量と、アンカー形状部分Ｓａを形成するに足りる量との和の注入量で、接着剤Ｓをそれぞれの貫通孔３０に注入した。こうすることで、注入後の接着剤Ｓは、貫通孔３０をほぼ埋め尽くすと共に、貫通孔周囲にはみ出し、そのはみ出し部分をアンカー形状部分Ｓａとする。
【００２９】
用いる接着剤Ｓとしては、エポキシ樹脂を主成分（接着成分）とする反応硬化型２液性接着剤を用いた。その性状は、２液混練直後の粘度（Ｐａ・ｓ）が１０〜５０であり、構造粘性指数が約１．０〜４．０である。これらは、JIS K6833に準拠した物性値である。なお、粘度にあっては、ＢＨ型粘度計（ロータＮｏ．６或いはＮｏ．７）にて１分間の攪拌を行い、攪拌開始から３０秒後に測定した。また、硬化後の性状としては、引っ張りせん断接着強さ（Ｎ／ｍｍ2）が５以上とした。これはJIS K6850に準拠した物性値である。この接着強さは次のように測定した。まず、軟鋼板（ＳＰＣＣ）の表面にサンドブラスト処理を施して脱脂し、１／２インチに亘り接着剤を接着硬化させた。硬化条件は、５０℃環境下で２時間乾燥させ、その後、２０℃環境下で２４時間乾燥させた。そして、２０℃の測定室で、約２．５ｍｍ／分の引っ張り速度で引っ張り試験を行い、上記の接着強さを求めた。
【００３０】
こうした接着剤の性状を規定したのは、次の理由による。
上記した注入量で接着剤Ｓを注入した場合、硬化後の接着剤Ｓの形状は、図３で示したようにアンカー形状部分Ｓａを有する形状（便宜的に、この形状をキノコ形状と呼ぶ）に安定することが望ましい。つまり、キノコ形状を採ったとしても、硬化後の接着剤Ｓがそのアンカー形状部分Ｓａを湾曲凹所３８に干渉させてしまうような事態を避け、湾曲凹所３８がアンカー形状部分Ｓａを弧状に取り囲むようにすることが好ましい。
【００３１】
よって、上記したような粘度・構造粘度指数を有する接着剤Ｓであれば、注入後の接着剤Ｓがアンカー形状部分Ｓａと湾曲凹所３８との干渉のない理想的なキノコ形状をより確実に採るようにすることが可能となる。また、上記の引っ張りせん断接着強さを有すれば、硬化後のアンカー形状部分ＳａはタイルＴの剥がれ防止を果たすアンカー効果をより確実に発揮できる。
【００３２】
また、接着剤Ｓの注入に際しては、その性状を上記したように規定した他、次のような温度制御を行った。つまり、接着剤注入ガン４２にヒータ４３を内蔵し、当該ヒータで接着剤Ｓを所定温度（約４０〜６０℃）に温度制御するようにした。そして、この温度に制御済みの接着剤Ｓを貫通孔３０に注入するようにした。よって、次の利点がある。
【００３３】
接着剤Ｓの注入時の温度が約４０℃を下回ると、注入接着剤の粘性が高まるので、接着剤の流れが弱くなる。よって、注入後の接着剤Ｓは、貫通孔３０をほぼ埋め尽くすものの、流れが弱い分だけ、貫通孔周囲へのはみ出しが控えられ、はみ出し部分が狭くなる。つまり、アンカー形状部分Ｓａが小さくなって貫通孔周囲との引っ掛かり面積が狭くなり、アンカー効果が弱まる。一方、接着剤Ｓの注入時の温度が約６０℃を越えると、注入接着剤の粘性が低くなって、接着剤Ｓは流れ易くなる。よって、注入後の接着剤Ｓは、貫通孔周囲に容易に流れ出して広くはみ出す。こうなると、アンカー形状部分Ｓａは広くなるものの、その部分の厚みが薄くなるので硬化後の強度の低下をきたし、やはりアンカー効果が弱まる。これに対し、接着剤Ｓの注入時の温度が上記範囲で有れば、注入後の接着剤Ｓで、貫通孔３０をほぼ埋め尽くすことができると共に、貫通孔周囲へのはみ出しの程度も湾曲凹所３８の手前で留まってアンカー形状部分Ｓａの大きさも最適となり、このアンカー形状部分Ｓａの厚みも確保できる。この結果、好適なアンカー効果を奏することができる。
【００３４】
このようにして貫通孔３０に注入された接着剤Ｓが接着硬化後に呈する接着強度、即ち貫通孔３０１ヶ所当たりの剥がれ強度は、１０ｋｇ以上であることが望ましく、本実施例のように、１００ｍｍ方形のタイルでは、タイル１枚当たりで約４０ｋｇ以上の剥がれ強度を確保できることが望ましい。本実施例では、こうした剥がれ強度を確実に確保できた。
【００３５】
上記したアンカー形状部分Ｓａの形状については、接着剤Ｓの性状を上記したものとしたこと、および温度制御を図ったことと相まって、次のようにすることができる。
図３に示すように、貫通孔３０の外周とアンカー形状部分Ｓａの外周との差、即ちアンカー形状部分Ｓａの広がり程度ｔ１は、約０．６ｍｍであり、ｔ１＞約０．５ｍｍであることが望まし。また、貫通孔３０の外周を貫通孔軸方向に垂直に延長した線分がアンカー形状部分Ｓａの外縁に当たるまでの長さ、即ちアンカー形状部分Ｓａの厚みｔ２は、約１．２ｍｍであり、ｔ２＞約１ｍｍであることが望ましい。
【００３６】
このように接着剤注入ガン４２でそれぞれの貫通孔３０に接着剤Ｓを注入すると、製造台車４０を接着剤注入ステーションから乾燥ステーションに搬入し、注入済みの接着剤Ｓを乾燥硬化させる。このステーションでは、ヒータ４３とファン４４により、乾燥雰囲気温度を約４０〜６０℃に制御し、接着剤Ｓの速やかな養生（乾燥硬化）を図る。こうした速やかな養生により、生産効率を高めることができる。
【００３７】
この養生に際して、乾燥温度が約４０℃を下回ると、接着剤の硬化が遅くなるので生産効率の低下を来たし、約６０℃を越えると、硬化速度は速くなるものの、この養生時での接着剤の流れを招いたり、ＰＥ製の樹脂マット２０の熱変形を招いたりするので、好ましくない。これに対し、養生温度が上記範囲で有れば、これら不具合がなく好ましい。
【００３８】
以上説明したように、本実施例のタイルマット１０によれば、貫通孔３０の周囲で硬化したアンカー形状部分Ｓａ自体でアンカー効果を発揮してタイルＴの剥がれ防止を図ることができる。よって、樹脂マット２０には、タイルＴの剥がれ防止のための構成を一切必要とせず、単に貫通孔３０を形成すればよくなる。この結果、樹脂マット２０の形状を単純化でき、その金型についても単純化することができるので、成型金型の単純化により、金型や樹脂マット２０は勿論、この樹脂マット２０を用いたタイルマット１０の低コスト化も達成できる。
【００３９】
しかも、接着剤Ｓの性状を上記したように規定したので、硬化後の接着剤Ｓの形状の安定化（アンカー形状部分Ｓａと湾曲凹所３８との干渉回避、キノコ形状の安定化）を図ることができると共に、アンカー形状部分Ｓａによるアンカー効果をより確実に発揮できる。また、接着剤Ｓの注入時およびその後の養生時に接着剤の温度制御を行うので、性状の規定と相まって、上記した接着剤の形状の安定化をより確実なものとできる。
【００４０】
この場合、用いる接着剤の性状に合わせて温度制御の様子（注入温度範囲や養生温度範囲）を調整することもできる。
【００４１】
また、本実施例では、タイルＴと樹脂マット２０を製造台車４０でほぼ水平とし、接着剤Ｓを貫通孔３０に対してその上方から注入するようにした。このため、接着剤Ｓは、貫通孔周囲へのはみ出しを貫通孔３０の周回りに亘ってほぼ均等に起こすので、アンカー形状部分Ｓａは、貫通孔全周に亘ってはみ出た形状となる。この結果、アンカー形状部分Ｓａはアンカー効果を貫通孔３０の全周で発揮するので、タイルＴの剥がれ防止効果をより確実なものとでき、剥がれ防止の実効性を高めることができる。
【００４２】
また、本実施例では、上記のようにアンカー形状部分Ｓａを形成するに当たり、貫通孔３０の周囲に湾曲凹所３８を設け、この湾曲凹所３８にアンカー形状部分Ｓａが干渉しないようにした。よって、次の利点がある。
完成したタイルマット１０をバルコニー等に設置する際には、タイルマット１０をその両端やマット一端だけで持ち上げたりすることが必要である。こうした持ち上げがなされると、樹脂マット２０を用いた都合上、樹脂マット２０には反りが起き、シート体２４にはこの反りに基づく応力が作用する。こうした応力は、貫通孔３０の変形をもたらすと共に、貫通孔周囲箇所にも変形（反り）をもたらす。
【００４３】
本実施例では、それぞれの貫通孔３０の周囲にアンカー形状部分Ｓａと干渉しない湾曲凹所３８をこのアンカー形状部分Ｓａを取り囲むよう設けたので、上記した応力をこの湾曲凹所３８で受けて、湾曲凹所３８を変形（開孔側の広狭変形）させる。このため、貫通孔３０の変形や貫通孔周囲箇所（詳しくは貫通孔周縁と湾曲凹所３８との間の周囲箇所）の変形（反り）を抑制できる。この結果、貫通孔３０で硬化済みの接着剤Ｓには貫通孔変形に基づく力が掛からないようにして、また、貫通孔周囲で硬化済みのアンカー形状部分Ｓａには貫通孔周囲箇所の変形に基づく力が掛からないようにできるので、アンカー形状部分Ｓａを含む接着剤に割れ等が起き難くする。よって、接着剤の欠落を効果的に防止できるので、接着剤Ｓによる接着固定の対象であるタイルＴの剥がれ防止の実効性をより高めることができる。
【００４４】
しかも、本実施例では、貫通孔３０の形成箇所に応じて湾曲凹所３８の弧状軌跡を変えたので、具体的には、周縁壁部２５の側の貫通孔３０とそれ以外の貫通孔３０とで湾曲凹所３８の弧状軌跡を変えたので、それぞれの貫通孔３０におけるタイルＴの剥がれ防止の実効性を確実に確保できる。
【００４５】
また、本実施例では、湾曲凹所３８を区画溝３６を挟んで形成したので、この区画溝３６が上記したシート体２４（樹脂マット２０）の反りに応じて屈曲する。よって、この区画溝３６の屈曲と相まって、貫通孔３０で硬化済みの接着剤Ｓおよび貫通孔周囲で硬化済みのアンカー形状部分Ｓａには割れ等を起き難くできるので、タイルＴの剥がれ防止の実効性をより一層高めることができる。
【００４６】
さらに、本実施例で採用した製造方法によれば、アンカー形状部分Ｓａ自体でタイルＴの剥がれ防止機能を果たすようにしたタイルマット１０を容易に製造することができると共に、その製造コストの低コスト化を図ることができる。
【００４７】
しかも、接着剤Ｓの注入・養生時に接着剤Ｓの温度管理を行うので、アンカー形状部分Ｓａの形状の安定化はもとより、このアンカー形状部分Ｓａによるアンカー効果を確実に発揮できる。
【００４８】
次に変形例について説明する。図６ないし図９は湾曲凹所３８の変形例を説明するための説明図である。
図示するように第１の変形例では、湾曲凹所３８は、貫通孔３０を二重に取り囲むように形成されている。第２の変形例では、区画溝３６に沿って直線状に形成されて交差した湾曲凹所３８が貫通孔３０を取り囲むようにされている。第３の変形例では、円弧状の軌跡に沿って湾曲凹所３８を点在させて、貫通孔３０を取り囲むようにされている。第４の変形例では、湾曲凹所３８は、貫通孔３０の全周を取り囲むよう円状に形成されている。こうしたいずれの変形例であっても、既述したような効果（アンカー形状部分Ｓａの割れ回避、剥がれ防止等）を奏することができる。
【００４９】
以上本発明の実施例について説明したが、本発明は上記の実施例や実施形態になんら限定されるものではなく、本発明の要旨を逸脱しない範囲において種々なる態様で実施し得ることは勿論である。
【００５０】
例えば、建材としてタイルＴを用いた場合を説明したが、木材、石材、コンクリート材のいずれかの建材を樹脂マット２０に接着剤Ｓで接着固定したものとできる。  例えば、建材としてタイルＴを用いた場合を説明したが、木材、石材、コンクリート材のいずれかの建材を樹脂マット２０に接着剤Ｓで接着固定したものとできる。また、建材（実施例にあってはタイルＴ）の配列も、３Ｘ３列に限定されるものではなく、その大きさも種々な態様で実施することができる。例えば、樹脂マット２０に３００ｍｍ方形のタイルを接着する場合にも、本発明を適用できる。
【００５１】
また、湾曲凹所３８を樹脂マット２０（シート体２４）のマット下面２６に設けたが、湾曲凹所３８をマット面２３に設けるようにすることもできる。
【００５２】
また、上記実施例では、接着剤Ｓのアンカー形状部分Ｓａ自体でアンカー効果を発揮してタイルＴの剥がれ防止を図ったが、貯め置いた接着剤を梁状部等で係止する既存の方式にも適用できる。この場合には、接着剤を貯め置くようリング状とされた部材の回りに、これを取り囲む湾曲凹所３８を形成すればよい。
【図面の簡単な説明】
【図１】  実施例に係るタイルマット１０を表す概略斜視図である。
【図２】  タイルマット１０が有する樹脂マット２０の底面の一部を示す説明図である。
【図３】  図２における３−３線断面をタイルＴを上にして示す説明図である。
【図４】  樹脂マット２０の要部を概略的に示すための斜視図である。
【図５】  タイルマット１０の製造工程を説明するための説明図である。
【図６】  湾曲凹所３８の第１の変形例を説明するための説明図である。
【図７】  湾曲凹所３８の第２の変形例を説明するための説明図である。
【図８】  湾曲凹所３８の第３の変形例を説明するための説明図である。
【図９】  湾曲凹所３８の第４の変形例を説明するための説明図である。
【符号の説明】
１０…タイルマット
２０…樹脂マット
２１…連結腕
２２…連結フック
２３…マット面
２４…シート体
２５…周縁壁部
２６…マット下面
３０…貫通孔
３１…脚
３３…梁部
３４…脚台座
３５…穴
３６…区画溝
３７…窓
３８…湾曲凹所
４０…製造台車
４２…接着剤注入ガン
４３…ヒータ
４４…ファン
Ｓ…接着剤
Ｓａ…アンカー形状部分
Ｔ…タイル
Ｔｒ…タイル裏面
【図１】
0003654289.tif 000002
【図２】
0003654289.tif 000003
【図３】
0003654289.tif 000004
【図４】
0003654289.tif 000005
【図５】
0003654289.tif 000006
【図６】
0003654289.tif 000007
【図７】
0003654289.tif 000008
【図８】
0003654289.tif 000009
【図９】
0003654289.tif 000010